(57)【要約】【課題】剥離紙から保護フィルム等の粘着シートを剥がしやすくして、テープを廃止し、コストダウンする。【解決手段】粘着シート本体２の剥離紙１は、一端部に外側に突出する摘み片１１を形成し、他端部に摘み片１１が挿入可能な開口１４を形成している。さらに、摘み片１１と粘着シート本体２を挟んで対向する他端側に余白部１３が形成されて、その余白部１３に開口１４が形成されている。そして、摘み片１１の先端側に幅広部１２が形成されている。また、開口１４は余白部１３の端面に開放される切り欠き形状に形成されている。【選択図】図１
2015113386.tif 000002
【特許請求の範囲】
【請求項１】
粘着シート本体が剥離紙に貼り付けられている粘着シートであって、
前記剥離紙は、一端部に外側に突出する摘み片を形成し、他端部に前記摘み片が挿入可能な開口を形成したことを特徴とする粘着シート。
【請求項２】
前記摘み片と前記粘着シート本体を挟んで対向する他端側に余白部が形成されて、
前記余白部に前記開口が形成されていることを特徴とする請求項１に記載の粘着シート。
【請求項３】
前記摘み片の先端側に幅広部が形成されていることを特徴とする請求項１または２に記載の粘着シート。
【請求項４】
前記開口は前記余白部の端面に開放される切り欠き形状に形成されていることを特徴とする請求項２または３に記載の粘着シート。
【請求項５】
前記粘着シート本体は、表示画面を保護するための保護フィルムであることを特徴とする請求項１〜４のうち１項に記載の粘着シート。
【発明の詳細な説明】
【技術分野】
【０００１】
本発明は、傷がつかないように液晶表示画面に貼り付ける保護フィルム等の粘着シートに関する。
【背景技術】
【０００２】
電子辞書等の電子機器において、その液晶画面等の表示画面にユーザが保護フィルムを貼り付けることがある。このような保護フィルムは台紙（剥離紙）に貼り付けられて販売されている（例えば特許文献１等参照）。保護フィルムの一面に粘着剤が塗布され、その面が台紙（剥離紙）に貼り付けられているために、剥がしにくい場合があった。
そこで、保護フィルムを剥離紙から剥がしやすくするため、保護フィルム端部にテープを貼ることも考えられている。
【先行技術文献】
【特許文献】
【０００３】
【特許文献１】特開２００１−２６４５１９号公報
【発明の概要】
【発明が解決しようとする課題】
【０００４】
従来、剥離紙からフィルム端部を剥がして片手で押さえながら表示画面に保護フィルムを貼り付ける必要があり、作業性が悪かった。
また、保護フィルムを剥離紙から剥がしやすくするテープを必要とし、その分コストがかかっていた。
【０００５】
本発明の課題は、剥離紙から保護フィルム等の粘着シートを剥がしやすくして、テープを廃止し、コストダウンすることである。
さらに、本発明は、保護フィルム等の粘着シートを対象物に貼り付けやすくすることも課題とする。
【課題を解決するための手段】
【０００６】
以上の課題を解決するため、本発明は、
粘着シート本体が剥離紙に貼り付けられている粘着シートであって、
前記剥離紙は、一端部に外側に突出する摘み片を形成し、他端部に前記摘み片が挿入可能な開口を形成したことを特徴としている。
【発明の効果】
【０００７】
本発明によれば、剥離紙から粘着シートを剥がしやすくして、テープを廃止できるため、コストダウンすることができる。
さらに、粘着シートを対象物に貼り付けやすくすることもできる。
【図面の簡単な説明】
【０００８】
【図１】本発明を適用した粘着シートの一実施形態の構成を示すもので、粘着シート本体を貼り付けた状態の平面図（ａ）と、その矢印Ａ−Ａ線に沿った図（ｂ）である。
【図２】図１（ｂ）の摘み片を開口に挿入した状態の図である。
【図３】図２の状態の剥離紙と表示画面の関係を示す斜視図（ａ）と、図２と同様の断面図で、剥離紙の引き抜き方を示した図（ｂ）である。
【発明を実施するための形態】
【０００９】
以下、図を参照して本発明を実施するための形態を詳細に説明する。
（実施形態）
図１（ａ）及び（ｂ）は本発明を適用した粘着シート（保護フィルム）を示し、剥離紙１に透明の保護フィルム本体２を例えばシリコン系糊等の粘着材で貼り付けた状態を示すものである。
【００１０】
図示のように、剥離紙１は、その長手方向の一端部に保護フィルム本体２から外側に突出する摘み片１１を形成したものである。摘み片１１の先端側には、両側方に突出する幅広部１２が形成されている。
【００１１】
また、剥離紙１には、摘み片１１と保護フィルム本体２を挟んで対向する他端側に保護フィルム本体２の外形より大きい余白部１３が形成されている。余白部１３には、その端面に開放される切り欠き形状の開口１４が形成されている。開口１４には、ユーザが保護フィルム本体２を液晶表示画面等に貼り付ける際に、摘み片１１が挿入される。
【００１２】
なお、図示例では、剥離紙１の摘み片１１側の端部に沿って僅かに余白部が形成されているが、この余白部はなくてもよい。
【００１３】
図２は図１（ｂ）の摘み片１１を開口１４に挿入した状態を示すもので、摘み片１１を持って剥離紙１を、矢印で示すように、保護フィルム本体２と反対側に折り返すようにすると、図示のように、保護フィルム本体２から摘み片１１側の剥離紙１の略半分が剥がれる。
従って、摘み片１１の幅広部１２を含む先端側を、他端側の余白部１３の切り欠き形状の開口１４に挿入することができる。
【００１４】
これにより、余白部１３の開口１４の上に摘み片１１の先端部分が位置して幅広部１２で抜け止めされた状態となり、図示のように、保護フィルム本体２から摘み片１１側の剥離紙１の略半分が剥がれた状態に保持される。
【００１５】
図３（ａ）は剥離紙１と表示画面３の関係を示すもので、前述したように、剥離紙１が略半分剥がれた状態に保持された透明の保護フィルム本体２の略半分を、図示のように、液晶画面等の表示画面３に貼り付けることができる。
【００１６】
図３（ｂ）は剥離紙１の引き抜き方を示すもので、摘み片１１を、矢印で示すように、引くことで、保護フィルム本体２の残る略半分から剥離紙１が剥がれて、保護フィルム本体２の全部を表示画面３に貼り付けることができる。
【００１７】
以上、実施形態の剥離紙１によれば、一端部の摘み片１１を引くことで、剥離紙１から保護フィルム本体２を剥がしやすくなり、従来のテープを廃止できるため、コストダウンすることができる。
【００１８】
そして、摘み片１１を、保護フィルム本体２を挟んで対向する他端側の余白部１３の端面に開放される切り欠き形状の開口１４に挿入して、その開口１４の上に幅広部１２を出した状態にすることで、摘み片１１が開口１４に幅広部１２で抜け止めされて、保護フィルム本体２から摘み片１１側の剥離紙１の略半分が剥がれた状態に保持することができる。
従って、剥離紙１が略半分剥がれた状態に保持された保護フィルム本体２の略半分を表示画面３に貼り付けることができる。
【００１９】
さらに、摘み片１１を引くことで、保護フィルム本体２の残る略半分から剥離紙１が剥がれるので、保護フィルム本体２の全部を表示画面３に貼り付けやすくすることができる。
【００２０】
（変形例）
以上の実施形態においては、保護フィルムの剥離紙としたが、本発明はこれに限定されるものではなく、保護フィルム用に限らず、他の粘着シート用の剥離紙であってもよい。
また、剥離紙の外形形状、その摘み片、幅広部、余白部、開口の形状等も任意であり、その他、具体的な細部構造等についても適宜に変更可能であることは勿論である。
例えば、摘み片は、図１（ａ）のように短くてもよく、図３（ａ）のように長くてもよい。
【００２１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
粘着シート本体が剥離紙に貼り付けられている粘着シートであって、
前記剥離紙は、一端部に外側に突出する摘み片を形成し、他端部に前記摘み片が挿入可能な開口を形成したことを特徴とする粘着シート。
＜請求項２＞
前記摘み片と前記粘着シート本体を挟んで対向する他端側に余白部が形成されて、
前記余白部に前記開口が形成されていることを特徴とする請求項１に記載の粘着シート。
＜請求項３＞
前記摘み片の先端側に幅広部が形成されていることを特徴とする請求項１または２に記載の粘着シート。
＜請求項４＞
前記開口は前記余白部の端面に開放される切り欠き形状に形成されていることを特徴とする請求項２または３に記載の粘着シート。
＜請求項５＞
前記粘着シート本体は、表示画面を保護するための保護フィルムであることを特徴とする請求項１〜４のうち１項に記載の粘着シート。
【符号の説明】
【００２２】
１  剥離紙
１１  摘み片
１２  幅広部
１３  余白部
１４  開口
２  粘着シート本体
３  表示画面
【図１】
2015113386.tif 000003
【図２】
2015113386.tif 000004
【図３】
2015113386.tif 000005